(57)【要約】【課題】梱包スペーサの突起部品に樹脂材等のプラスチック成形品を使用しないことによって、梱包スペーサの廃棄処理の効率化と納入時の保管スペースの減少を図る。【解決手段】段ボール平板を用いたベーススペーサの中央部に突起部品をを取り付け、この突起部品を照明器具本体中央の器具取り付け用穴に差し込んで照明器具をベーススペーサ上に載置固定する照明器具の梱包スペーサにおいて、梱包スペーサ１は、段ボール平板に抜き穴及び切り込みを入れて谷形あるいは山形に折り曲げ成形した十字型突出部１５及び複数の段付突出部１６を有するベーススペーサ３と、同じく段ボール平板を折り曲げ形成した角筒部材１７からなる突起部品４とを組み合わせて構成されている。【選択図】      図７
2004168393.tif 000002
【特許請求の範囲】
【請求項１】
段ボール平板を用いたベーススペーサの中央部に突起部品をを取り付け、この突起部品を照明器具本体中央の器具取り付け用穴に差し込んで照明器具をベーススペーサ上に載置固定する照明器具の梱包スペーサにおいて、前記梱包スペーサは、段ボール平板に抜き穴及び切り込みを入れて谷形あるいは山形に折り曲げ成形した複数の突出部を有するベーススペーサと、同じく段ボール平板を折り曲げ形成した角筒部材からなる突起部品とを組み合わせて構成されていることを特徴とする照明器具の梱包スペーサ。
【請求項２】
前記ベーススペーサはほぼ正方形をなし、その中央部に突起部品を取り付ける十字型の突出部と、周辺部に照明器具本体を載置する複数の段付突出部とを設けたことを特徴とする請求項１記載の照明器具の梱包スペーサ。
【請求項３】
前記突起部品は、複数の角筒部材を１本にまとめて構成されていることを特徴とする請求項１記載の照明器具の梱包スペーサ。
【請求項４】
前記突起部品を形成する段ボール平板は、ベーススペーサを形成する段ボール平板の一部を切り抜いて素材としたことを特徴とする請求項１記載の照明器具の梱包スペーサ。
【請求項５】
前記突起部品に切り込みを設け、この切り込みをベーススペーサの十字型突出部にはめ込んで組み立てたことを特徴とする請求項１記載の照明器具の梱包スペーサ。
【請求項６】
段ボール平板を用いたベーススペーサの中央部に突起部品をを取り付け、この突起部品を照明器具本体中央の器具取り付け用穴に差し込んで照明器具をベーススペーサ上に載置固定する照明器具の梱包スペーサにおいて、前記梱包スペーサは、段ボール平板の中央部及び周辺部に抜き穴を設けたほぼ正方形のベーススペーサと、同じく段ボール平板を折り曲げ形成した角筒部材からなる突起部品及び段付突出部とを備え、ベーススペーサの抜き穴に裏面側から突起部品及び段付突出部を差し込んで組み立てられていることを特徴とする照明器具の梱包スペーサ。
【請求項７】
前記突起部品は、角筒部材を支持する支持部品を備えたことを特徴とする請求項６記載の照明器具の梱包スペーサ。
【請求項８】
前記支持部品は、抜き穴及び切り込みを設けた段ボール平板を折り曲げ成形してなる十字型突出部を有することを特徴とする請求項７記載の照明器具の梱包スペーサ。
【請求項９】
前記突起部品は、複数の角筒部材を１本にまとめて構成されていることを特徴とする請求項７記載の照明器具の梱包スペーサ。
【請求項１０】
前記角筒部材及び支持部品を形成する段ボール平板は、ベーススペーサを形成する段ボール平板の一部を切り抜いて素材としたことを特徴とする請求項７記載の照明器具の梱包スペーサ。
【請求項１１】
前記角筒部材に切り込みを設け、この切り込みを支持部品の十字型突出部にはめ込んで突起部品を組み立てたことを特徴とする請求項７記載の照明器具の梱包スペーサ。
【発明の詳細な説明】
【０００１】
【発明の属する技術分野】
本発明は、天井直付けの丸形照明器具を包装する際に用いる梱包スペーサに関するもので、特に段ボールを用いて照明器具を載置固定する直付照明器具の梱包スペーサに関する。
【０００２】
【従来の技術】
従来、家庭用直付丸形照明器具（以下、単に照明器具と称する）をサイドフラップ方式の梱包箱に収納し梱包輸送する際には、照明器具を保護するために段ボール平板上に照明器具本体を載せて固定し、この状態で梱包箱に収納する梱包方式が採られている。
【０００３】
この従来の照明器具の固定方法について、図面を参照して説明する。図１５〜図１９は従来の固定方法を説明する斜視図である。１例として、図１５に示すように、１枚の正方形段ボール平板３１Ａの中央部に丸穴３３を開け、丸穴３３の周囲には数個の舌片３５を形成しておく。一方、樹脂材あるいはパルプ材等で成形されたフランジを有するの円板状突起部品３２Ａを準備し、この突起部品３２Ａを段ボール平板３１Ａの裏面側より丸穴３３に差し込むことによって、突起部品３２Ａは舌片３５により固定され、図１６に示すような梱包スペーサ３０Ａが形成される。次いで図１７に示すように、この梱包スペーサ３０Ａの突起部品３２Ａに照明器具本体３６の中央部に開けられている器具取り付け用穴３７を嵌め合わせ、梱包スペーサに照明器具本体を固定した状態でサイドフラップ方式の梱包箱３８に収納している（例えば、特許文献１参照。）。
【０００４】
また、他の例として、図１８に示すように、１枚の正方形段ボール平板３１Ｂの中央部に角穴３４を設け、一方、樹脂材あるいはパルプ材等で成形された角形フランジを有するの突起部品３２Ｂを準備し、この突起部品３２Ｂを段ボール平板３１Ｂの裏面側より角穴３４に差し込むことによって、図１９に示すように突起部品３２Ｂは角穴３４との摩擦により固定され、梱包スペーサ３０Ｂが形成される。この梱包スペーサ３０Ｂを用いた照明器具本体３６の固定及び収納方法は前例（図１７）と同様である。
【０００５】
【特許文献１】
登録実用新案第３０５５０６４号公報（［０００８］、図１）
【０００６】
【発明が解決しようとする課題】
このように従来の梱包スペーサは、照明器具を固定するための突起部品が樹脂又はパルプ材を用いた成形品で形成されているため、用済み後の梱包材料を廃棄処分する時に、段ボール及び梱包箱等の紙類と樹脂材やパルプ材等のプラスチック成形品との分別廃棄が必要となり、多大な手間を要する。
【０００７】
また、これらのプラスチック成形品は立体形状のため、段ボールのように折りたたみが利かないことから嵩張るという問題があり、分別処理時に手間を要する一因となっている。
【０００８】
さらに、この成形品の嵩張りの問題は、廃棄物保管場所のスペースを取るばかりでなく、納入時にも部材倉庫の保管スペースを確保しなければならないと言った問題があり、物流の妨げとなっている。
【０００９】
本発明は上記した問題点を解消するためになされたもので、梱包スペーサの突起部品に樹脂材等のプラスチック成形品を使用しないことによって、梱包スペーサの廃棄処理の効率化と納入時の保管スペースの減少を図ることを目的とする。
【００１０】
【課題を解決するための手段】
本発明は、段ボール平板を用いたベーススペーサの中央部に突起部品をを取り付け、この突起部品を照明器具本体中央の器具取り付け用穴に差し込んで照明器具をベーススペーサ上に載置固定する照明器具の梱包スペーサにおいて、前記梱包スペーサは、段ボール平板に抜き穴及び切り込みを入れて谷形あるいは山形に折り曲げ成形した複数の突出部を有するベーススペーサと、同じく段ボール平板を折り曲げ形成した角筒部材からなる突起部品とを組み合わせて構成されている。
【００１１】
また、本発明において、前記ベーススペーサはほぼ正方形をなし、その中央部に突起部品を取り付ける十字型の突出部と、周辺部に照明器具本体を載置する複数の段付突出部とを設けており、この突起部品は、複数の角筒部材を１本にまとめて構成され、また、この突起部品を形成する段ボール平板は、ベーススペーサを形成する段ボール平板の一部を切り抜いて素材としたものであり、そして、この突起部品に切り込みを設け、この切り込みをベーススペーサの十字型突出部にはめ込んで梱包スペーサを組み立てている。
【００１２】
また、本発明は、段ボール平板を用いたベーススペーサの中央部に突起部品をを取り付け、この突起部品を照明器具本体中央の器具取り付け用穴に差し込んで照明器具をベーススペーサ上に載置固定する照明器具の梱包スペーサにおいて、前記梱包スペーサは、段ボール平板の中央部及び周辺部に抜き穴を設けたほぼ正方形のベーススペーサと、同じく段ボール平板を折り曲げ形成した角筒部材からなる突起部品及び段付突出部とを備え、ベーススペーサの抜き穴に裏面側から突起部品及び段付突出部を差し込んで組み立てている。
【００１３】
また、本発明において、前記突起部品は角筒部材を支持する支持部品を備え、この角筒部材及び段付突出部を形成する段ボール平板は、ベーススペーサを形成する段ボール平板の一部を切り抜いて素材としている。さらに、前記支持部品は、抜き穴及び切り込みを設けた段ボール平板を折り曲げ成形してなる十字型突出部を有し、また、前記突起部品は複数の角筒部材を１本にまとめて構成されており、この角筒部材に切り込みを設け、この切り込みを支持部品の十字型突出部にはめ込んで突起部品を組み立てている。
【００１４】
【発明の実施の形態】
次に、本発明の実施の形態について、図面を参照して説明する。図１〜図８は本発明の梱包スペーサにおける一実施の形態を説明する断面図、組立図あるいは展開図である。
【００１５】
まず、図１の断面図に示すように、本発明の梱包スペーサ１は、天井直付けの丸形照明器具本体２が収まる大きさを有するほぼ正方形の段ボール平板を折り曲げ形成してなるベーススペーサ３と、別途段ボール平板を角筒状に折り曲げ形成しベーススペーサ３の中央部に取り付けられる突起部品４とから構成される。そして、照明器具を梱包する際は、照明器具本体２の中央部に開けられている器具取り付け用穴５に突起部品４を通してベーススペーサ３に載せ、この状態でサイドフラップ方式の梱包箱に収納するようになっている。ベーススペーサ３を折り曲げ形成する際には、後述するように照明器具本体２を支持するとともに保護スポンジ６を浮かすための十字型突出部１５及び段付突出部１６を同時に形成する。
【００１６】
次に、ベーススペーサ３の構造について説明する。図２は、折り曲げ形成する前のベーススペーサ３の展開平面図で、段ボール平板１８を示している。この展開図に示すように、折り曲げ前の段ボール平板１８の寸法は、折り曲げて辺の長さが短くなった時に、載置する照明器具本体がはみ出さない程度の大きさにあらかじめ寸法取りされた正方形を有し、その中心部に開けられた正方形の抜き穴７と、この抜き穴７を中心にして縦横４方向に伸びる４個所の抜き穴８と、周囲全体に切り込みが入れられ中心対称に設けられた２個のＴ字形の切り抜き部材９とが設けられ、切り抜き部材９にはそれぞれ４個所に切り込み１０が開けられている。この切り抜き部材９は、後述するように折り曲げて突起部品４を形成するための素材である。また、抜き穴８の一部は、切り起し片１１となっている。さらに中心部の抜き穴７の周囲に２個所ずつ合計８個の切り込み１２が、また各抜き穴８の一部に２個所ずつ合計８個の切り込み１３が設けられ、これらの切り込み１２、１３は組み立ての際にそれぞれ係止部となる。
【００１７】
この平板状の段ボールを折り曲げて立体構造としたベーススペーサ３を図３の斜視図に示す。段ボール平板を立体構造にするには、まず、図２に示した段ボール平板１８から２枚のＴ字形切り抜き部材９を切り離し、次に全ての点線部分を山形あるいは谷形に折り曲げて、図３のようにベーススペーサ３の中央部分に十字型突出部１５と、周辺部に４個所の段付突出部１６を形成し、立体構造のベーススペーサ３が組み立てられる。組み立ての際には、切り起し片１１が切り込み１３と係合することによって、折り曲げ部が平面に戻ろうとする力を抑えている。また、十字型突出部１５は突起部品４を取り付けるときの取り付け部材であるとともに照明器具本体を載せる時の支持部であり、また、段付突出部１６は照明器具本体を載せる時の位置決め部及び支持部である。そして、照明器具本体を載せた時に、十字型突出部１５及び段付突出部１６で照明器具本体を浮かすことによって緩衝材として入れてあるスポンジを潰さないための役目も果たしている。
【００１８】
一方、図４の平面図に示すように、段ボール平板１８から切り離した２枚のＴ字形切り抜き部材９はそれぞれ長方形部分と突出部分とを有し、長方形部分には４個所に切り込み１０が設けられ、内側２個所の切り込み１０の内部には突起部１４が対向して設けられ、また、突出部分は折り曲げることによって組み立てた時の支えとなる。
【００１９】
次に、この切り抜き部材９ををそれぞれ点線の位置で内側に折り曲げ、図５の斜視図に示すように、２本の角筒部材１７を１本に合わせて突起部品４を形成する。この２本の角筒部材１７を向かい合わせた時に筒の断面形状がほぼ正六角形になるように、あらかじめ切り抜き部材９の折り曲げ位置を決めておき、同時に正六角形の外接円の大きさが、収納する照明器具本体に開けられた器具取り付け用穴に嵌まる程度の大きさとなるように、あらかじめ角筒部材１７の辺寸法を定めておくことによって突起部品４が形成されている。また、切り込み１０の位置も、十字型突出部１５にちょうど嵌まり合うように設けておく。
【００２０】
この２本の角筒部材１７からなる突起部品４を、十字型突出部１５に組み込んだ状態を図６の斜視図に示す。組み込む際には、角筒部材１７の下部に設けられている切り込み１０を十字型突出部１５にはめ込み、その際切り込み１０の内側に設けられている突起部１４と、十字型突出部１５に設けられている切り込み１２とが係合することによって突起部品４の脱落を防ぐとともに十字型突起が元の平面形状に広がろうとする力を押さえている。
【００２１】
このようにして、１枚の段ボール平板の必要個所に所定の切り込み、抜き穴等を形成してベーススペーサ用段ボールとし、残りの平板部の一部を切り取って突起部品用段ボールとし、それぞれを折り曲げることによって立体構造のベーススペーサと角筒型突起部品を形成し、これらを嵌め合わせて組み立てることによって梱包スペーサとしたものである。
【００２２】
図７は、上記してきたようなベーススペーサ３と突起部品４で構成された本発明の梱包スペーサ１の斜視図である。照明器具本体２（図示せず）は、突起部品４、十字型突出部１５及び４個所の段付突起部１６で支持される。また、図８は、照明器具本体２を載せた本発明の梱包スペーサ１を梱包箱１９に収納する状態を示しており、梱包箱１９のサイズはベーススペーサ３がちょうど納まる幅と奥行きを有し、かつ梱包スペーサ１に載せた照明器具本体２がちょうど収まる高さを有している。
【００２３】
次に本発明における他の実施の形態について図面を参照して説明する。図９〜図１４は本実施の形態を説明する平面展開図あるいは組立図である。本実施の形態の梱包スペーサは、中央部に抜き穴を設けた段ボール平板の裏面側から、別途段ボール平板を折り曲げ形成した筒状部品等を差し込むことによって組み立てるもので、ベーススペーサとなる段ボール平板を折り曲げずに済むため比較的簡単に組み立てられることを特徴としている。
【００２４】
図９はベーススペーサとなる段ボール平板１８ａの平面図である。段ボール平板１８ａは、載置する照明器具本体２（図示せず）がはみ出さない程度の大きさを有する正方形からなり、中央部には突起部品を裏面側から差し込むためのほぼ六角形状で周囲４個所に切り込みを有する抜き穴２０が開けれ、また、空きスペース部分には切り込みが入れられて図２で説明したのと同様の２枚のＴ字形切り抜き部材９が形成され、さらに、周辺部４個所に段付突出部１６ａ（図１２）を差し込む抜き穴２１が開けられている。この段付突出部１６ａは切り抜き部材９ａとして段ボール平板１８ａの空きスペース部分に切り込みが入れられて形成される。なお、切り抜き部材９を用いて突起部品４を組み立てる方法については、図４、図５、図６で説明したのと同様であるので、ここでは省略する。
【００２５】
図１０は、突起部品を組み立てる際に支持部となる十字型突出部１５ａ（図１１）を形成するための段ボール平板１８ｂの展開図である。段ボール平板１８ｂの形状は、折り曲げ形成した時に抜き穴２０（図９）全体が納まる程度の大きさに寸法取りされた正方形を有し、中央部に正方形の抜き穴７ａを設け、抜き穴７ａの周辺部には突起部品４を組み立てるときの係止部となる切り込み１２ａが設けられ、さらに周辺部４個所に逃げ部となる切り込み２２が設けられている。
【００２６】
この段ボール平板１８ｂを点線の位置で折り曲げ成形した部品の斜視図が図１１である。この部品は切り込み１２ａを有する十字型突出部１５ａからなり、突起部品４を組み立てるときの支持部品２３となる。また、図１２は段付突出部１６ａを示す図で、折り曲げ成形した後、図９で示した段ボール平板１８ａの抜き穴２１に差し込んで固定する。
【００２７】
図１３は、このようにして組み立てた支持部品２３の十字型突出部１５ａに、図５で示した２本の角筒部材１７を嵌め込むことによって突起部品４ａを組み立てた斜視図である。そして、図９で示した段ボール平板１８ａの裏面側から突起部品４ａを差し込み、同時に４個所に段付突出部１６ａを差し込んで図１４の斜視図に示すように梱包スペーサ１ａが形成される。本実施の形態によれば、前記一実施の形態に比べてベーススペーサの抜き穴加工が簡単になり、かつ折り曲げ加工が不要となったことでコストを下げることができる。なお、切り抜き部材９，９ａを段ボール平板１８ａからではなく別の段ボール平板から切り抜き形成してもよい。
【００２８】
【発明の効果】
本発明の梱包スペーサによれば、照明器具を固定するための突起部品が樹脂又はパルプ材を用いた成形品ではなく段ボールのみで形成されているため、用済み後の梱包材料を廃棄処分する時に、段ボール及び梱包箱等の紙類と樹脂材やパルプ材等のプラスチック成形品との分別廃棄が必要なくなり、手間を省くことができるようになった。
【００２９】
また、これらのプラスチック成形品は立体形状のため、段ボールのように折りたたみが利かないことから嵩張るという問題があったが、本発明によって折りたたんで処理することが可能となった。
【００３０】
さらに、この成形品の嵩張りの問題が解決したことによって、廃棄物保管場所のスペースを必要としなくなったばかりでなく、納入時にも部材倉庫の保管スペースを確保する必要がなくなり、物流の能率向上を図ることができる。
【図面の簡単な説明】
【図１】本発明の梱包スペーサを用いた照明器具の梱包方法を示す断面図である。
【図２】本発明の一実施の形態に用いる段ボール平板の平面図である。
【図３】上記段ボール平板を折り曲げ形成したベーススペーサの斜視図である。
【図４】上記段ボール平板から切り抜いて角筒部材とする前の平面図である。
【図５】上記切り抜き部材を角筒型に折り曲げ成形した突起部品の斜視図である。
【図６】上記突起部品をベーススペーサに取り付けた状態を示す斜視図である。
【図７】本発明における梱包スペーサの一実施の形態を示す斜視図である。
【図８】上記梱包スペーサを用いた照明器具の梱包方法を示す斜視図である。
【図９】本発明における他の実施の形態に用いる段ボール平板の平面図である。
【図１０】突起部品の支持部品となる折り曲げ成形前の段ボール平板の平面図である。
【図１１】上記折り曲げ成形した支持部品の斜視図である。
【図１２】段付突出部の形状を示す図である。
【図１３】上記角筒部材を支持部品に取り付けた突起部品の斜視図である。
【図１４】本発明における梱包スペーサの他の実施形態を示す斜視図である。
【図１５】従来の梱包スペーサの一例を示す分解斜視図である。
【図１６】従来の梱包スペーサの一例を示す組立図である。
【図１７】従来の梱包スペーサを用いた照明器具の梱包方法を示す斜視図である。
【図１８】従来の梱包スペーサの他の例を示す分解斜視図である。
【図１９】従来の梱包スペーサの他の例を示す組立図である。
【符号の説明】
１、１ａ    梱包スペーサ
２    照明器具本体
３    ベーススペーサ
４、４ａ    突起部品
５    器具取り付け用穴
６    スポンジ
７、７ａ    抜き穴
８    抜き穴
９、９ａ    切り抜き部材
１０    切り込み
１１    切り起し片
１２，１２ａ    切り込み
１３    切り込み
１４    突起部
１５、１５ａ    十字型突出部
１６、１６ａ    段付突出部
１７    角筒部材
１８、１８ａ    段ボール平板
１９    梱包箱
２０    抜き穴
２１    抜き穴
２２    切り込み
２３    支持部品
３０Ａ、３０Ｂ    梱包スペーサ
３１Ａ、３１Ｂ    段ボール平板
３２Ａ、３２Ｂ    突起部品
３３    丸穴
３４    角穴
３５    舌片
３６    照明器具本体
３７    器具取り付け用穴
３８    梱包箱
【図１】
2004168393.tif 000003
【図２】
2004168393.tif 000004
【図３】
2004168393.tif 000005
【図４】
2004168393.tif 000006
【図５】
2004168393.tif 000007
【図６】
2004168393.tif 000008
【図７】
2004168393.tif 000009
【図８】
2004168393.tif 000010
【図９】
2004168393.tif 000011
【図１０】
2004168393.tif 000012
【図１１】
2004168393.tif 000013
【図１２】
2004168393.tif 000014
【図１３】
2004168393.tif 000015
【図１４】
2004168393.tif 000016
【図１５】
2004168393.tif 000017
【図１６】
2004168393.tif 000018
【図１７】
2004168393.tif 000019
【図１８】
2004168393.tif 000020
【図１９】
2004168393.tif 000021